(57)【要約】      （修正有）【課題】ヘッドとシャフトの優れた接合効果を持っているゴルフクラブを提供する。【解決手段】ゴルフクラブ１００は、ヘッドブランク１と前記ヘッドブランクが互いに組み合わされてゴルフクラブブランクになり、且つ前記ヘッドブランクと互いに異種材料であるシャフトブランク２と、粉末からなり、等方圧プレス処理により前記ゴルフクラブブランクが前記粉末に被覆されて前記ヘッドブランク及び前記シャフトブランクを緻密に結合させて成形する等方圧成形緻密体４とを備えることを特徴とするゴルフクラブ。【選択図】図１
0003189956.tif 000002
【実用新案登録請求の範囲】
【請求項１】
ヘッドブランクと、
前記ヘッドブランクとが互いに組み合わさってゴルフクラブブランクになり、且つ前記ヘッドブランクと互いに異種材料であるシャフトブランクと、
粉末からなり、等方圧プレス処理により前記ゴルフクラブブランクが前記粉末に被覆されて前記ヘッドブランク及び前記シャフトブランクを緻密に結合させて成形する等方圧成形緻密体と
を備えることを特徴とするゴルフクラブ。
【請求項２】
前記ヘッドブランクが、金属材料からなる金属ヘッドブランクであることを特徴とする請求項１に記載のゴルフクラブ。
【請求項３】
前記シャフトブランクが、金属材料からなる金属シャフトブランクであることを特徴とする請求項１に記載のゴルフクラブ。
【請求項４】
前記ヘッドブランク及び前記シャフトブランクがそれぞれ係合部と被係合部を有し、前記係合部及び被係合部が表面径方向に係合することによって、前記ヘッドブランク及び前記びシャフトブランクが互いに組み合わさることを特徴とする請求項１に記載のゴルフクラブ。
【請求項５】
前記ヘッドブランク及び前記シャフトブランクがそれぞれ嵌部と被嵌部を有し、前記ヘッドブランク及び前記シャフトブランクが互いに嵌合することによって、前記ヘッドブランク及び前記シャフトブランクが互いに組み合わさることを特徴とする請求項１に記載のゴルフクラブ。
【請求項６】
前記等方圧成形緻密体が、等方圧金属粉末成形緻密体であることを特徴とする請求項１に記載のゴルフクラブ。
【請求項７】
前記ゴルフクラブのヘッドとシャフトの間のジャンクションの外面が滑らかな表面であることを特徴とする請求項１に記載のゴルフクラブ。
【考案の詳細な説明】
【技術分野】
【０００１】
本考案は、ゴルフクラブに関するもので、特に優れた接合効果のゴルフクラブに関するものである。
【背景技術】
【０００２】
近年のゴルフは新しいスポーツトレンドとなっており、多くの若い人々にも愛されている。ゴルフクラブの技術が進歩すると共に使用者はより簡単で、より遠くへ飛ばすゴルフショットを求め続ける。
【０００３】
ゴルフクラブはヘッドとシャフトで構成されている。ヘッドの種類は大抵ステンレスまたは金属合金である。一般のシャフトは炭素繊維、鉄などの材料からなる。その違いは、スティッフ／硬め（Sシャフト）、中程度の硬さ（RSシャフト）とレギュラー／標準的な硬さ（Rシャフト）に分かれている。硬度が高いシャフトが打撃の軌道を安定させると共にショットの距離も簡単に飛ばし易くなるが、より速いスイングスピードが必要となる；これに対し、硬度が柔らかいシャフトは速いスイングスピードがなくても簡単にヒットできるが打撃力が比較的小さいため飛距離が短い。
【考案の概要】
【考案が解決しようとする課題】
【０００４】
しかし、どんな種類の材料を採用しても、従来のゴルフクラブヘッドとシャフトのほとんどが套設接着することによって接合されている。このような構造がヘッド素材とシャフト素材との違いによって、両方の間の力学的性質上、完全接続とはいかず、実際には分離された状態である。従って、ヘッドとシャフトの接合部が応力集中の影響を受けやすく断裂のリスクが高いとされている。またパワー伝達の影響を受けやすい為、打撃偏差の原因になる。
【０００５】
それ故、本考案はヘッドとシャフトの優れた接合効果を持つゴルフクラブを提供することを目的とする。
【課題を解決するための手段】
【０００６】
従来技術の問題を解決する為に、本考案が提供する技術手段がゴルフクラブについてであるが、前記ゴルフクラブはヘッドブランクと、シャフトブランクを有する。前記シャフトブランクは前記ヘッドブランクと互いに組み合わされてゴルフクラブブランクになり、且つ前記ヘッドブランクとは互いに異種材料である。またゴルフクラブは等方圧成形緻密体を備える。前記等方圧成形緻密体は粉末からなり、等方圧プレス処理により前記ゴルフクラブブランクが前記粉末に被覆されて前記ヘッドブランク及び前記シャフトブランクを緻密に結合させて成形される。
【０００７】
本考案の実施例では、前記ヘッドブランクが、金属材料からなる金属ヘッドブランクである。
【０００８】
本考案の実施例では、前記シャフトブランクが金属材料からなる金属シャフトブランクである。
【０００９】
本考案の実施例では、前記ヘッドブランク及び前記シャフトブランクがそれぞれ係合部と被係合部を有し、前記係合部及び被係合部が表面径方向に係合することによって、前記ヘッドブランク及び前記びシャフトブランクが互いに組み合わさる。
【００１０】
本考案の実施例では、前記ヘッドブランク及び前記シャフトブランクがそれぞれ嵌部と被嵌部を有し、前記ヘッドブランク及び前記シャフトブランクが互いに嵌合することによって、前記ヘッドブランク及び前記シャフトブランクが互いに組み合わさる。
【００１１】
本考案の実施例では、前記等方圧成形緻密体は、等方圧金属粉末成形緻密体である。
【００１２】
本考案の実施例では、前記ゴルフクラブのヘッドとシャフトの間のジャンクションの外面は滑らかな表面である。
【考案の効果】
【００１３】
本考案に使用された技術的手段を通じて、本考案のゴルフクラブのヘッドとシャフトが緊密接合であり、力学的性質には一体成型に近似する接続効果が具備されている。それによって、前記ヘッドと前記シャフトの接合箇所の応力を軽減し、断裂のリスクを下げ、優れたパワー伝達を提供し、ショットの精度を向上させる。
【図面の簡単な説明】
【００１４】
【図１】本考案の実施例に係るゴルフクラブを示す図である。
【図２】本考案の実施例に係るゴルフクラブのヘッドとシャフトの接合方法を示すフローチャートである。
【図３ａ】図２の接合方法における組み合わせステップを示す図である。
【図３ｂ】図２の接合方法における組み合わせステップを示す図である。
【図３ｃ】図２の接合方法における組み合わせステップを示す図である。
【図４】図２の接合方法における被覆ステップを示す図である。
【図５】図２の接合方法における成形ステップを示す図である。
【考案を実施するための形態】
【００１５】
以下の実施形態及び添付図面により、本考案で採用された具体実施形態を具体的に説明する。
【００１６】
以下は図１から図５に基いて、本考案の実施形態について説明する。尚、該当説明は本考案の実施形態の一つの例示にすぎず、本考案の実施形態を限定するものではない。
【００１７】
図１が示すように、本考案の実施例のゴルフクラブ１００は、ヘッドブランク１と、シャフトブランク２を有する。前記シャフトブランク２は前記ヘッドブランク１と互いに組み合わさってゴルフクラブブランクになり、前記ヘッドブランク１とは互いに異種材料である。またゴルフクラブは等方圧成形緻密体４を備える。前記等方圧成形緻密体４は粉末４０からなり、等方圧プレス処理により前記ゴルフクラブブランクが前記粉末に被覆されて前記ヘッドブランク１及び前記シャフトブランク２を緻密に結合させて成形する。
【００１８】
図２が示すように、前記ゴルフクラブ１００が接合方法を用いて作られ、前記接合方法が組み合わせステップＳ１０、被覆ステップＳ２０及び成形ステップＳ３０を含む。前記接合方法は前記ゴルフクラブ１００のヘッドとシャフトを接合させて、それらの間に安定した接続及び優れたパワー伝達を提供する。これから、図３ａから図５と合わせて図２の接合方法を説明する。
【００１９】
まず、図３ａ、３ｂ、３ｃが示すように、前記組み合わせステップＳ１０では、互いに異種材料の前記ヘッドブランク１とシャフトブランク２が組み合わさってゴルフクラブブランクになる。ここで言う異種材料とは、異なる性質の材料を指すわけだが、例えば、本実施例では、前記ヘッドブランク１は、金属材料からなる金属ヘッドブランクであり、前記シャフトブランク２は金属材料からなる金属シャフトブランクであるが、前記ヘッドブランク１と前記シャフトブランク２の金属材料が異なる金属、異なる成分の合金、異なる成分割合の合金、異なる製造工法の金属或いは合金から選択することができる。
【００２０】
前記ヘッドブランク１とシャフトブランク２は表面径方向に係合するかフック部に嵌合するなどの方式で互いに組み合わせることができる。図３ａが示すように、係合する状況で、前記ヘッドブランク１及び前記シャフトブランク２がそれぞれ係合部１１と被係合部２１を有し、前記係合部１１及び被係合部２１が表面径方向に係合することによって、前記ヘッドブランク１及び前記びシャフトブランク２を互いに組み合わせることができる。また、前記ヘッドブランク１及び前記びシャフトブランク２の係合奥行きが材料の性質によって調整することが出来る。図３ｂが示すように、前記ヘッドブランク１の係合部１１ａとシャフトブランク２の被係合部２１ａとの間の係合奥行きがシャフトブランク２の長さと実質的に同等である。図３ｃが示すように、嵌合する状況で、前記ヘッドブランク１及び前記シャフトブランク２がそれぞれ嵌部１２と被嵌部２２を有し、前記ヘッドブランク１及び前記シャフトブランク２が互いに嵌合することによって、前記ヘッドブランク１及び前記シャフトブランク２を互いに組み合わせることができる。もちろん、これらは決して本考案を限定するものではなく、前記ヘッドブランク１及び前記シャフトブランク２が他の伝統的あるいは斬新な方法を採用することによっても互いに組み合わせることができる。
【００２１】
それから、前記組み合わせステップＳ１０の後に前記被覆ステップＳ２０を実行する。前記被覆ステップＳ２０は、覆設サブステップＳ２１と充填サブステップＳ２２を含む。
【００２２】
前記覆設サブステップＳ２１では、前記ヘッドブランク１及び前記シャフトブランク２で構成されるゴルフクラブブランクの外部に被覆部材３を覆設する。前記被覆部材３が金属被覆（軟鋼、ステンレススチール、チタン等）またはセラミック被覆でも良い。金属被覆が単純な形状のゴルフクラブ製造に適し、セラミック被覆がより複雑精密形状のゴルフクラブ製造に適する。
【００２３】
それから、図４が示すように、前記充填サブステップＳ２２では、前記粉末４０が前記被覆部材３に充填されて前記ゴルフクラブブランクを被覆させる。前記粉末４０が前記ヘッドブランク１及び前記シャフトブランク２によって異なる材料を選用することが出来る。例えば：金属材料、セラミック材料、本実施例の粉末４０が金属材料である。粉末充填方法は主に二種類に分けられる。そのうちの一つの方法は予め前記粉末４０を被覆ブランク（図面に示されていない）に成形し、前記ゴルフクラブブランクを被覆させて前記被覆部材３に入れることである。もう一つの方法は直接粉末４０を振動の方法で前記被覆部材３と前記ゴルフクラブブランクとの空間に充填させ、前記ヘッドブランク１及び前記シャフトブランク２間の隙間に充填させることである。
【００２４】
更に、充填サブステップＳ２２の後、密封サブステップＳ２３を実行するのが好ましい。前記密封サブステップＳ２３では、前記被覆部材３を密封する。通常密封には溶接が採用され、密封する前に室温又は加熱環境で真空吸着を行い、前記被覆部材３、前記ゴルフクラブブランク及び粉末４０を緊密に接触させることによって品質を向上することが出来る。
【００２５】
それから、前記被覆ステップＳ２０の後は前記成形ステップＳ３０を実行する。前記成形ステップＳ３０では、前記被覆されたゴルフクラブブランクを等方圧プレス処理をすることによって、前記ヘッドブランク１、前記シャフトブランク２及び粉末４０が結合し成形できる。この例は、前記等方圧プレス処理が高温高圧実行する熱間等方圧プレス処理である。図５が示すように、前記被覆されたゴルフクラブブランクを処理容器５に入れて気体を注入してから加熱する。気体の加熱膨張から発生する高圧によって均等に前記粉末４０及び被覆されたゴルフクラブブランクを加圧する。これによって前記ゴルフクラブブランクに被覆された粉末４０が高温高圧焼結によって等方圧成形緻密体４になり、且つ前記ヘッドブランク１及び前記シャフトブランク２を緻密に結合させることができる。
【００２６】
最後に、前記成形ステップＳ３０の後、取り出しステップＳ４０を実行する。前記等方圧プレス処理された前記被覆部材３から前記等方圧成形緻密体４に被覆されたゴルフクラブブランクを取り出すことによって、図１が示すように、異なる材料のヘッドブランク１と前記シャフトブランク２から接合されたゴルフクラブ１００が出来る。
【００２７】
本考案に使用された技術的手段を通じて、本考案のゴルフクラブのヘッドとシャフトの接合箇所の隙間が取り除くことが出来、且つヘッドとシャフトの外表面が滑らかな表面に成形することができる。従って、力学的性質には一体成型に近似した接続効果が具備されている。それによって、前記ヘッドと前記シャフトの接合箇所の応力を軽減し、断裂のリスクを下げ、優れたなパワー伝達を提供し、ショットの精度が向上できる。
【００２８】
当該分野の技術を熟知するものが理解できるように、本考案の好適な実施形態を前述の通り開示したが、これらは決して本考案を限定するものではない。本考案の主旨と領域を逸脱しない範囲内で各種の調節や修正を加えることができる。従って、本考案の実用新案登録請求の範囲は、このような調節や修正を含めて広く解釈されるべきである。
【符号の説明】
【００２９】
１００  ゴルフクラブ
１  ヘッドブランク
１１  係合部
１１ａ  係合部
１２  嵌部
２  シャフトブランク
２１  被係合部
２１ａ  被係合部
２２  被嵌部
３  被覆部材
４  等方圧成形緻密体
４０  粉末
５  処理容器
【図１】
0003189956.tif 000003
【図２】
0003189956.tif 000004
【図３ａ】
0003189956.tif 000005
【図３ｂ】
0003189956.tif 000006
【図３ｃ】
0003189956.tif 000007
【図４】
0003189956.tif 000008
【図５】
0003189956.tif 000009
【手続補正書】
【提出日】平成26年2月5日(2014.2.5)
【手続補正１】
【補正対象書類名】実用新案登録請求の範囲
【補正対象項目名】請求項１
【補正方法】変更
【補正の内容】
【請求項１】
ヘッドブランクと、
前記ヘッドブランクと互いに組み合わさってゴルフクラブブランクになり、且つ前記ヘッドブランクと互いに異種材料であるシャフトブランクと、
粉末からなり、等方圧プレス処理により前記ゴルフクラブブランクが前記粉末に被覆されて前記ヘッドブランク及び前記シャフトブランクを緻密に結合させて成形する等方圧成形緻密体と
を備えることを特徴とするゴルフクラブ。